(57)【要約】【課題】  製品の歩留まりを向上させることができるキャリアフィルム、これを有する液晶表示装置、及びその製造方法を提供する。【解決手段】  キャリアフィルムは、ベースフィルム、ベースフィルム上に具備されるリード線、及びリード線を保護する保護層を具備する。保護層は、リード線の第１端部と隣接した境界部が凸凹線で形成される。凸凹線は、ベースフィルムが曲がる時、保護層が形成された部分とリード線の露出された部分との境界部に集中される応力を多様な方向の成分に分散する。これによって、キャリアフィルムは、応力のために保護層の端部に沿ってリード線が断絶されることを防止できるので、製品の歩留まりを向上させることができる。【選択図】図２
2006190989.tif 000002
【特許請求の範囲】
【請求項１】
半導体チップが実装されるベースフィルムと、
前記ベースフィルム上に形成され、前記半導体チップと電気的に連結されるリード線と、
前記リード線が形成された前記ベースフィルム上に形成され、前記リード線の端部を露出するように前記リード線の端部を除いた領域に形成され、前記リード線の露出された端部との境界線が突出部と陥入部とで構成された凸凹線で形成された保護層と、を有することを特徴とするキャリアフィルム。
【請求項２】
前記凸凹線は、前記保護層の前記端部に沿って連続して形成されることを特徴とする請求項１に記載のキャリアフィルム。
【請求項３】
前記保護層は、有機物質からなることを特徴とする請求項１に記載のキャリアフィルム。
【請求項４】
前記突出部と前記陥入部は、サイン波形状を有することを特徴とする請求項１に記載のキャリアフィルム。
【請求項５】
前記突出部及び前記陥入部は、半円形状、四角形状、及び三角形状のうち、いずれか一つの形状に形成されることを特徴とする請求項１に記載のキャリアフィルム。
【請求項６】
画像信号に対応する画像を表示する表示パネルと、
前記画像信号を生成する印刷回路基板と、
前記画像信号に対応する駆動信号を生成するための半導体チップが実装されるベースフィルム、前記ベースフィルム上に形成され、前記半導体チップと電気的に連結され前記半導体チップから前記駆動信号を受信して前記液晶表示パネルに伝送し、前記印刷回路基板から前記画像信号を受信して前記半導体チップに伝送するリード線、及び前記リード線が形成された前記ベースフィルム上に形成され前記リード線を保護し、前記リード線の端部を露出するように前記リード線の端部を除いた領域に形成され、前記露出されたリード線の端部との境界線が突出部と陥入部とで構成された凸凹線で形成された保護層を具備して、前記印刷回路基板及び前記表示パネルと電気的に連結されたキャリアフィルムと、を有することを特徴とする表示装置。
【請求項７】
前記凸凹線は、前記保護層の前記端部に沿って連続して形成されることを特徴とする請求項６に記載の表示装置。
【請求項８】
前記突出部と前記陥入部は、サイン波形状を有することを特徴とする請求項６に記載の表示装置。
【請求項９】
前記表示パネルを収納する収納容器を更に有するとを特徴とする請求項６に記載の表示装置。
【請求項１０】
前記キャリアフィルムは前記収納容器の側壁に沿って折曲され、前記印刷回路基板は前記収納容器の背面に位置することを特徴とする請求項９に記載の表示装置。
【請求項１１】
ベースフィルム上に導電性金属材質からなるリード線を形成する段階と、
前記リード線が形成された前記ベースフィルム上に前記リード線の端部を露出するように前記リード線の端部が位置する領域を除いた領域に保護層を形成し、前記露出されたリード線の端部と隣接する前記保護層の境界線を凸凹線で形成する段階と、
前記保護層が形成されたベースフィルム上に前記リード線と電気的に連結される半導体チップを実装する段階と、を有することを特徴とするキャリアフィルムの製造方法。
【請求項１２】
前記保護層は、前記リード線が形成された前記ベースフィルム上に有機物質をシルクスクリーン方式で塗布して形成することを特徴とする請求項１１に記載のキャリアフィルムの製造方法。
【請求項１３】
前記突出部と陥入部は、サイン波形状を有することを特徴とする請求項１１に記載のキャリアフィルムの製造方法。
【発明の詳細な説明】
【技術分野】
【０００１】
本発明は、キャリアフィルム、これを有する表示装置、及びその製造方法に係るもので、より詳細には、製品の歩留まりを向上させることができるキャリアフィルム、これを有する液晶表示装置、及びその製造方法に関する。
【背景技術】
【０００２】
一般に、外部から入力される画像信号に応答して画像を表示する液晶表示装置は平板表示装置の一種であって、液晶の光学的特性を利用して画像を表示する。
【０００３】
液晶表示装置は、光を利用して画像を表示する液晶表示パネル、及び液晶表示パネルに光を提供するバックライトアセンブリを含む。液晶表示パネルのソース側には、データ側テープキャリアパッケージ（以下、ＴＣＰと記す）が付着され、ゲート側には、ゲート及びゲート側ＴＣＰが付着される。データ側ＴＣＰ及びゲート側ＴＣＰは、画像信号に対応する駆動信号及びタイミング信号を生成して、液晶表示パネルに提供する。
【０００４】
図１は、従来のＴＣＰを示す斜視図である。
【０００５】
図１を参照すると、ＴＣＰ１００は、容易に折曲される柔軟性を有するベースフィルム１１０、ベースフィルム１１０上に導電性物質がパターニングされ電気的信号を伝達するリード線１２０、リード線１２０が形成されたベースフィルム１１０上に形成されリード線１２０を保護する保護層１３０、及びベースフィルム１１０の中央部に実装されリード線１２０と電気的に連結された半導体チップ１４０を含む。
【０００６】
保護層１３０は、ベースフィルム１１０の第１端部１５０及び第１端部と互いに対向する第２端部１６０で除去され、リード線１２０の第１端部、第２端部側が露出される。リード線１２０の第１端部と隣接して位置する保護層１３０の端部は直線形状を有する。
【０００７】
一般に、ベースフィルム１１０の第１端部１５０は印刷回路基板に付着され、第２端部１６０は液晶表示パネルに付着される。ＴＣＰ１００は、液晶表示パネルが収納される収納容器の側壁に沿って屈曲し、印刷回路基板は収納容器の背面に位置する。
【０００８】
ＴＣＰ１００は、保護層１３０が位置する部分の強度が、保護層１３０が位置しない第１及び第２端部の強度より相対的に高い。
【０００９】
従って、ベースフィルム１１０が収納容器の側壁に沿って折曲されると、保護層１３０が形成された領域と保護層１３０が形成されない領域、即ち、リード線１２０の端部が露出される領域の境界部に応力（Ｓｔｒｅｓｓ）が集中する。
【００１０】
応力は、圧力が加わる方向と互いに直交する方向に波及するので、保護層１３０の端部に沿って広がる。これによって、リード線１２０は、保護層１３０の端部と接する境界部に沿って断線する。
【００１１】
このように、応力のため、ＴＣＰ１００のリード線１２０が断線すると、液晶表示パネルはＴＣＰ１００から駆動信号及びタイミング信号を受信することができないので、液晶表示装置は正常な画像を表示することができない。
【発明の開示】
【発明が解決しようとする課題】
【００１２】
本発明の目的は、リード線の断線を防止して製品の歩留まりを向上させることができるキャリアフィルムを提供することにある。
【００１３】
又、本発明の他の目的は、上記のキャリアフィルムが具備された液晶表示装置を提供することにある。
【００１４】
又、本発明の更に他の目的は、上記のキャリアフィルムを製造する方法を提供することにある。
【課題を解決するための手段】
【００１５】
前述した目的を達成するために、本発明によるキャリアフィルムは、ベースフィルム、リード線、及び保護層で構成される。
【００１６】
ベースフィルムは半導体チップが実装される。リード線は、ベースフィルム上に形成され、半導体チップと電気的に連結される。保護層は、リード線が形成されたベースフィルム上に具備されリード線を保護し、端部から突出して形成された突出部を有する。
【００１７】
又、本発明による表示装置は、表示パネル、印刷回路基板、及び前述のキャリアフィルムで構成される。
【００１８】
表示パネルは、画像信号に対応する画像を表示する。印刷回路基板は、画像信号を生成する。キャリアフィルムは、印刷回路基板及び表示パネルと電気的に連結される。キャリアフィルムは、ベースフィルム、リード線、及び保護層を具備する。ベースフィルムは、画像信号に対応する駆動信号を生成する半導体チップが実装される。リード線は、ベースフィルム上に形成され、半導体チップと電気的に連結され、半導体チップから駆動信号を受信して液晶表示パネルに伝送し、印刷回路基板から画像信号を受信して半導体チップに伝送する。保護層は、リード線が形成されたベースフィルム上でリード線の端部を露出するように、リード線の端部を除いた領域に形成される。保護層は、露出されたリード線の端部と隣接した境界部が突出部と陥入部とで構成された凸凹線で形成される。
【００１９】
又、本発明による前述のキャリアフィルムの製造方法は、まず、ベースフィルム上に導電性金属材質からなるリード線が形成される。リード線が形成されたベースフィルム上にリード線の端部を露出するように、リード線の端部が位置する領域を除いた領域に保護層が形成される。露出されたリード線の端部と隣接する保護層の境界線は凸凹線で形成される。保護層が形成されたベースフィルム上にリード線と電気的に連結される半導体チップが実装される。
【発明の効果】
【００２０】
本発明によるキャリアフィルム、これを有する表示装置、及びその製造方法によると、保護層境界線の突出部はベースフィルムの反りによって発生する応力が信号伝送フィルムの両側部から保護層の端部に沿って中央部に集中されることを防止することができるので、保護層の端部に沿ってリード線が断線することを防止できる。
【発明を実施するための最良の形態】
【００２１】
以下、本発明の好ましい実施例による液晶表示装置を添付図面を参照して詳細に説明する。
【００２２】
図２は、本発明の一実施例によるキャリアフィルムを示す斜視図である。
【００２３】
図２を参照すると、本発明によるキャリアフィルム２００は、ベースフィルム２１０、ベースフィルム２１０上に形成された第１及び第２リード線２２０、２３０、入出力端子が第１及び第２リード線２２０、２３０と電気的に接続されるようにベースフィルム２１０上に実装された半導体チップ２４０、第１及び第２リード線２２０、２３０を保護する保護層２５０、及び半導体チップ２４０をベースフィルム２１０に付着する接着レジン２６０を含む。
【００２４】
ベースフィルム２１０は、ポリイミド等の可撓性材質からなる。
【００２５】
ベースフィルム２１０上に形成された第１及び第２リード線２２０、２３０は、銅（Ｃｕ）のような伝導性金属材質からなり、半導体チップ２４０と電気的に接続され、半導体チップ２４０の入出力信号を伝送する。第１リード線２２０は、半導体チップ２４０を中心に第２リード線２３０と互いに対向して位置する。第１リード線２２０は、半導体チップ２４０からベースフィルム２１０の第１端部Ｅ１側に延長され形成され、第２リード線２３０は、半導体チップ２４０からベースフィルム２１０の第１端部Ｅ１と対向する第２端部Ｅ２側に延長され形成される。
【００２６】
第１リード線２２０は、外部から受信された信号を半導体チップ２４０に伝送する入力リード線であり、第２リード線２３０は、半導体チップ２４０から出力された信号を外部装置に伝送する出力リード線である。
【００２７】
第１及び第２リード線２２０、２３０が形成されたベースフィルム２１０上には、第１及び第２リード線２２０、２３０を保護するための保護層２５０が形成される。保護層２５０は、第１及び第２リード線２２０、２３０の外部装置と連結される端部を露出するように、ベースフィルム２１０の第１及び第２端部Ｅ１、Ｅ２を除いた領域に形成される。
【００２８】
ベースフィルム２１０の第１端部Ｅ１に位置する第１リード線２２０の端部及び第２端部Ｅ２に位置する第２リード線２３０の端部は、液晶表示パネル等の外部装置と電気的に接続される。
【００２９】
保護層２５０はほぼ長方形に形成されるが、、第１及び第２リード線２２０、２３０が露出される辺（端部と隣接した境界部）は突出部と陥入部とで構成された凹凸のある波型の形状を有する凸凹線２５１の形状に形成される。
【００３０】
保護層２５０は有機物質からなり、シルクスクリーン方式を用いて印刷により形成される。
【００３１】
半導体チップ２４０は、接着レジン２６０を用いてベースフィルム２１０に実装される。接着レジン２６０は、半導体チップ２４０とベースフィルム２１０との間に介在され、半導体チップ２４０の側面を所定領域囲む。
【００３２】
図３は、図２のＩ−Ｉ’に沿って切断した断面図である。
【００３３】
図３を参照すると、ベースフィルム２１０上には、第１及び第２リード線２２０、２３０及び保護層２５０が順次に形成される。半導体チップ２４０と電気的に連結される第１及び第２リード線２２０、２３０のパッド部は、ベースフィルム２１０の中央部に位置する。保護層２５０は、第１及び第２リード線２２０、２３０のパッド部が露出されるように、ベースフィルム２１０の中央部を除いた領域に形成される。
【００３４】
半導体チップ２４０の実装面には、第１及び第２リード線２２０、２３０と電気的に連結される第１及び第２バンプ２４１、２４２が形成される。第１バンプ２４１は、第１リード線２２０のパッド部とそれぞれ電気的に接続され、第２バンプ２４２は、第２リード線２３０のパッド部とそれぞれ電気的に接続される。
【００３５】
半導体チップ２４０をベースフィルム２１０に固定する接着レジン２６０は、半導体チップ２４０を囲み、半導体チップ２４０と隣接して位置する保護層２５０の所定領域をカバーする。
【００３６】
図４は、図２のＡ部分の拡大図である。
【００３７】
図２及び図４を参照すると、保護層２５０の境界部の凸凹線２５１は、露出された第１リード線２２０の第１端部と隣接して位置する。この実施例において、凸凹線２５１の突出部及び陥入部は半円形状に形成されるが、四角形状、楕円形状、及び三角形状等の多様な形状に形成されることができる。
【００３８】
ベースフィルム２１０は柔軟なフィルム材質で形成されるため、変形が容易であり、狭い収納空間にも収納されることができる。従って、キャリアフィルム２００は、収納容器の側壁等に折曲され収納されることができる。このような場合、ベースフィルム２１０は、中央部が第１及び第２端部Ｅ１、Ｅ２に対して曲がる状態に収納される。
【００３９】
このように、ベースフィルム２１０が曲がると、保護層２５０の端部と第１リード線２２０と接する境界部に応力Ｓが集中する。
【００４０】
即ち、ベースフィルム２１０の第１及び第２端部Ｅ１、Ｅ２には、保護層２５０が存在しないので、ベースフィルム２１０の第１及び第２端部Ｅ１、Ｅ２の強度が他の領域の強度より相対的に低い。これによって、応力Ｓは、ベースフィルム２１０の強度が変わる地点、即ち、保護層２５０の端部と第１リード線２２０と接する境界部に集中される。
【００４１】
応力Ｓは、圧力が加わる方向と互いに反対される方向に広がるので、ベースフィルム２１０の両側部で中央部に向かって作用する。
【００４２】
応力Ｓは、保護層２５０の凸凹線２５１に沿って２個の成分、即ち、保護層２５０の端部側方向Ｓ１の成分、及び端部側方向Ｓ１と反対方向Ｓ２の成分に分かれて作用する。
【００４３】
即ち、保護層２５０は、応力Ｓを凸凹線２５１に沿って多様な方向の成分に分散する。これによって、第１リード線２２０が保護層２５０の端部に沿って断線することを防止できる。
【００４４】
図示していないが、凸凹線２５１は露出された第２リード線２３０の第２端部と保護層２５０が接する境界部にも形成される。ベースフィルム２１０が曲がると、応力は保護層２５０が形成された領域と保護層２５０が形成されない領域、即ち、露出された第２リード線２３０の第２端部と保護層２５０間の境界部に集中する。
【００４５】
第２リード線２３０と保護層２５０の端部と接する境界部に集中された応力は、凸凹線２５１に沿って多様な方向の成分に分散される。その結果、キャリアフィルム２００は、応力のために、第２リード線２３０が保護層２５０の端部に沿って断線することを防止できる。
【００４６】
図５は、本発明の一実施例によるテープキャリアパッケージを製造する過程を示すフロー図である。
【００４７】
図２及び図５を参照すると、ベースフィルム２１０上に導電性金属膜を形成し、導電性金属膜をパターニングして、第１及び第２リード線２２０、２３０を形成する（段階Ｓ１１０）。
【００４８】
第１及び第２リード線２２０、２３０が形成されたベースフィルム２１０上にレジストで構成された有機物質をシルクスクリーン方法を利用して塗布して、保護層２５０を形成する（段階Ｓ１２０）。
【００４９】
保護層２５０は、ベースフィルム２１０の第１及び第２端部Ｅ１、Ｅ２で除去され、第１及び第２リード線２２０、２３０の第１及び第２端部を露出し、中央部が除去され第１及び第２リード線２２０、２３０のパッド部を露出する。露出された第１及び第２リード線２２０、２３０の第１及び第２端部と隣接する保護層２５０の端部は、凹凸のある波型形状の凸凹線２５１で形成される。
【００５０】
保護層２５０が形成されたベースフィルム２１０上に半導体チップ２４０が実装される（段階Ｓ１３０）。半導体チップ２４０は、ベースフィルム２１０の中央部に実装され、露出されたパッド部と電気的に接続される。
【００５１】
図６は、本発明の一実施例による液晶表示装置を示す分解斜視図である。
【００５２】
図６を参照すると、本発明による液晶表示装置は、光を利用して画像を表示する表示パネルアセンブリ３００、光を発生するバックライトアセンブリ４００、表示パネルアセンブリ３００及びバックライトアセンブリ４００を収納する収納容器５００、及び表示パネルアセンブリ３００の位置を案内するトップシャーシ６００を含む。
【００５３】
詳細には、表示パネルアセンブリ３００は、光が入力されて、画像信号に応答して画像を表示する液晶表示パネル３１０、液晶表示パネルに画像信号を伝送するデータ側及びゲート側キャリアフィルム３２０、３３０、画像信号を生成するデータ側及びゲート側印刷回路基板３４０、３５０を含む。
【００５４】
表示パネルアセンブリ３００の構成の具体的な説明は、図７を用いて後述する。
【００５５】
一方、表示パネルアセンブリ３００の下には、液晶表示パネル３１０に均一な光を提供するためのバックライトアセンブリ４００が具備される。
【００５６】
バックライトアセンブリ４００は、光を発生する第１及び第２ランプユニット４１０、４２０、光を案内して液晶表示パネル３１０に照射する導光板４３０、光の輝度を均一にする光学シート４４０、及び光を反射する反射シート４５０を含む。
【００５７】
具体的に、第１及び第２ランプユニット４１０、４２０は、外部から供給される電源に応答して光を発生する。第１ランプユニット４１０は、導光板４３０の第１側面に位置し、第２ランプユニット４１０は導光板４３０の第１側面と向かい合う第２側面に位置する。
【００５８】
この実施例において、第１及び第２ランプユニット４１０、４２０は、同じ構造を有する。従って、以下、第１ランプユニット４１０の構造について詳細に説明し、第２ランプユニット４２０の構造についての説明は省略する。
【００５９】
第１ランプユニット４１０は、光を発生する少なくとも一つ以上の第１ランプ４１１及び第１ランプ４１１からの光を導光板４３０側に反射する第１ランプリフレクター４１２を具備する。
【００６０】
放電ガスが注入された第１ランプ４１１は、内壁に蛍光物質が塗布され外部から電源の提供を受けて、光を発生する。
【００６１】
第１ランプリフレクター４１２は、第１ランプ４１１の長手方向に延長され形成され、第１ランプ４１１の一部分を囲み、導光板４３０側が開口される。
【００６２】
第１ランプユニット４１０と第２ランプユニット４２０との間には、導光板４３０が具備される。導光板４３０は、第１及び第２ランプユニット４１０、４２０から入射された光の経路を変更して、液晶表示パネル３１０に照射する。
【００６３】
導光板４３０の上部には、光学シート４４０が具備される。光学シート４４０は、光の特性、例えば、輝度増加及び輝度均一性を向上させて液晶表示パネル３１０に照射する。このために、光学シート４４０は、多様な光学シート、例えば、光を拡散する拡散シート、光を集光するプリズムシート等を具備することができる。
【００６４】
導光板４３０の下には、反射シート４５０が具備される。反射シート４５０は、導光板４３０から漏洩された光を導光板４３０側に反射して、光の利用効率を向上させる。
【００６５】
液晶表示パネル３１０及びバックライトアセンブリ４００は、収納容器５００に収納される。バックライトアセンブリ４００が装着される底板５１０、及び底板５１０のエッジから延長された側壁５２０を具備する。
【００６６】
液晶表示パネル３１０の上部には、トップシャーシ６００が具備される。トップシャーシ６００は、開口された上面６１０及び上面６１０のエッジから延長された側壁６２０を具備する。トップシャーシ６００は、画像が表示される液晶表示パネル３１０の表示領域を除いたエッジ領域をカバーし、収納容器５００と結合して液晶表示パネル３１０を収納容器５００に固定する。
【００６７】
図７は、図６に図示された表示パネルアセンブリを示す斜視図である。
【００６８】
図７を参照すると、液晶表示パネル３１０は、薄膜トランジスタ（以下、ＴＦＴと記す）基板３１１、ＴＦＴ基板３１１と互いに対向して結合するカラーフィルター基板３１２、及びＴＦＴ基板３１１とカラーフィルター基板３１２との間に介在された液晶層（図示せず）を含む。
【００６９】
ＴＦＴ基板３１１は、画素（図示せず）がマトリックス形態に具備される。それぞれの画素は、第１方向に延長されたゲートライン（図示せず）、第１方向と直交する第２方向に延長されゲートラインと交差するデータライン（図示せず）、及び画素電極を具備する。各画素には、ゲートライン及び前記データラインと連結されスイッチ素子として動作するＴＦＴが具備される。
【００７０】
カラーフィルター基板３１２は、薄膜工程によって形成され、光を利用して所定の色を発現するＲＧＢ色画素（図示せず）、及びＲＧＢ色画素上に形成され画素電極と向かい合う共通電極を具備する。
【００７１】
ＴＦＴ基板３１１とカラーフィルター基板３１２との間には、液晶層が介在する。液晶層は画素電極と共通電極との間に形成される電界によって特定方向に配列され、バックライトアセンブリ４００から照射される光の透過率を調節する。
【００７２】
液晶表示パネル３１０のソース側には、データ側キャリアフィルム３２０が付着され、ゲート側にはゲート側キャリアフィルム３３０が付着される。データ側キャリアフィルム３２０及びゲート側キャリアフィルム３３０は、フィルム形態の接着剤である異方性導電フィルム（以下、ＡＣＦと記す）を利用して、液晶表示パネル３１０に付着される。
【００７３】
データ側キャリアフィルム３２０は、データラインと電気的に接続される。この実施例において、データ側キャリアフィルム３２０は、第１乃至第４データ側キャリアフィルム３２１、３２２、３２３、３２４を具備する。データ側キャリアフィルム３２０の個数は、液晶表示パネル３１０の大きさに応じて減少させたり、増加させたりすることができる。
【００７４】
第１乃至第４データ側キャリアフィルム３２１、３２２、３２３、３２４は、データ側印刷回路基板３４０から画像信号を受信して、液晶表示パネル３１０を駆動するための駆動信号及びデータ信号を液晶表示パネル３１０に伝送する。
【００７５】
ゲート側キャリアフィルム３３０は、ゲートラインと電気的に接続される。この実施例において、ゲート側キャリアフィルム３３０は、第１乃至第３ゲート側キャリアフィルム３３１、３３２、３３３で構成される。ゲート側キャリアフィルム３３０の個数は、液晶表示パネル３１０の大きさに応じて増加させたり、減少させることができる。
【００７６】
第１乃至第３ゲート側キャリアフィルム３３１、３３２、３３３は、ゲート側印刷回路基板３５０から画像信号を受信して、液晶表示パネル３１０を駆動するための駆動信号及びゲート信号を液晶表示パネル３１０に伝送する。
【００７７】
第１乃至第４データ側キャリアフィルム３２１、３２２、３２３、３２４及び第１乃至第３ゲート側キャリアフィルム３３１、３３２、３３３は同じ構成を有する。従って、第１乃至第４データキャリアフィルム３２１、３２２、３２３、３２４及び第１乃至第３ゲート側キャリアフィルム３３１、３３２、３３３についての説明は、第１データ側キャリアフィルム３２１を一例として説明し、第２乃至第４データ側キャリアフィルム３２２、３２３、３２４及び第１乃至第３ゲート側キャリアフィルム３３１、３３２、３３３についての説明は省略する。
【００７８】
第１データ側キャリアフィルム３２１は、図２に図示されたキャリアフィルム２００と同じ構成を有する。従って、図２に図示されたキャリアフィルム２００と同じ機能を有する構成要素についての具体的な説明は省略する。
【００７９】
第１データ側キャリアフィルム３２１は、柔軟性を有するベースフィルム３２１ａ、ベースフィルム３２１ａ上に形成された第１及び第２リード線３２１ｂ、３２１ｃ、ベースフィルム３２１ａの中央部に実装され画像信号に対応する駆動信号及びタイミング信号を生成する半導体チップ３２１ｄ、第１及び第２リード線３２１ｂ、３２１ｃを保護する保護層３２１ｅ、及び半導体チップ３２１ｄをベースフィルム３２１ａに付着する接着レジン３２１ｆを含む。
【００８０】
第１リード線３２１ｂは、データ側印刷回路基板３４０と電気的に接続され、データ側印刷回路基板３４０から画像信号を受信する。第１リード線３２１ｂは、画像信号を半導体チップ３２１ｃに伝送する。
【００８１】
第１データ側キャリアフィルム３２１に具備された第２リード線３２１ｃは、液晶表示パネル３１０のＴＦＴ基板３１１と電気的に接続される。第２リード線３２１ｃは、半導体チップ３２１ｄから駆動信号及びタイミング信号を受信して、ＴＦＴ基板３１１に伝送する。
【００８２】
ベースフィルム３２１ａの中央部に具備される半導体チップ３２１ｄは、接着レジン３２１ｆを用いてベースフィルム３２１ａ及び保護層３２１ｅと結合する。
【００８３】
第１及び第２リード線３２１ｂ、３２１ｃが形成されたベースフィルム３２１ａ上に形成される保護層３２１ｅは、第１及び第２リード線３２１ｂ、３２１ｃを保護する。保護層３２１ｅは、液晶表示パネル３１０と隣接した端部及びデータ側印刷回路基板３４０と隣接した端部（辺）が、第１及び第２リード線３２１ｂ、３２１ｃが断線することを防止するように、凹凸を有す波形の形状の凸凹線３２１ｇで形成される。
【００８４】
一方、第１乃至第３ゲート側キャリアフィルム３３１、３３２、３３３に具備される第１リード線は、ゲート側印刷回路基板３５０と電気的に接続され、ゲート側印刷回路基板３５０から画像信号を受信する。
【００８５】
第１乃至第３ゲート側キャリアフィルム３３１、３３２、３３３に具備される第２リード線は、液晶表示パネル３１０と電気的に接続され、第１乃至第３ゲート側信号伝送フィルム３３１、３３２、３３３に実装された半導体チップから駆動信号及びゲート信号を受信して、液晶表示パネル３１０に伝送する。
【００８６】
図８は、図６のＩＩ−ＩＩ’に沿って切断した断面図である。
【００８７】
図７及び図８を参照すると、収納容器５００の底板５１０には、反射板４５０、導光板４３０、及び光学シート４４０が順次に装着される。第２ランプ４２１及び第２ランプリフレクター４２２は、導光板４３０と収納容器５００の側壁５２０との間に形成された空間に収納される。
【００８８】
収納容器５００の側壁５２０に形成された段差部５２１には、液晶表示パネル３１０が装着される。液晶表示パネル３１０の上部面及び下部面には、光を特定方向に偏光する第１及び第２偏光板３６０、３６５がそれぞれ付着される。
【００８９】
液晶表示パネル１１０のソース側に付着された第１データ側キャリアフィルム３２１は、収納容器５００の側壁５２０に沿って折曲され、第１データ側キャリアフィルム３２１と連結されたデータ側印刷回路基板３４０は、収納容器５００の背面に具備される。
【００９０】
具体的に、第１データ側信号伝送フィルム３２１に具備されたベースフィルム３２１ａは、ＴＦＴ基板３１１に付着された状態で側壁５２０に沿って折曲される。第１データ側キャリアフィルム３２１に実装された半導体チップ３２１ｄは、収納容器５００の側壁５２０とトップシャーシ６００の側壁６２０との間に位置する。
【００９１】
ベースフィルム３２１ａは側壁５２０に沿って折り曲げられるので、収納容器５００の側壁５２０に対して、トップシャーシ６００の側壁６２０側に凸形状に曲がる。保護層３２１ｅの凸凹線３２１ｇは、収納容器５００の側壁５２０の角部に位置する。
【００９２】
このように、ベースフィルム３２１ａが曲がると、保護層３２１ｅの端部と第１リード線３２１ｂと接する境界部及び保護層３２１ｅの端部と第２リード線３２１ｃと接する境界部に応力が集中される。
【００９３】
応力は、第１データ側信号伝送フィルム３２１に形成された凸凹線３２１ｇに沿って多様な方向の成分に分散される。これによって、第１データ側キャリアフィルム３２１は、応力のために第１及び第２リード線３２１ｂ、３２１ｃが保護層３２１ｅの端部に沿って断線することを防止できる。
【産業上の利用可能性】
【００９４】
以上説明した本発明によると、信号伝送フィルムは、第１及び第２リード線を保護する保護層を具備する。保護層は、外部装置と連結される第１及び第２リード線の端部との境界線、即ち、第１及び第２リード線の端部と隣接する保護層の端部は、凹凸を有す形状の凸凹線で形成される。キャリアフィルムが収納容器の側壁に沿って折曲され発生された応力は、保護層の凸凹線に沿って多様な成分の方向に分散される。これによって、キャリアフィルムは保護層の端部に沿ってリード線が断線することを防止できるので、製品の歩留まりを向上させることができる。
【００９５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９６】
【図１】従来のテープキャリアパッケージを示す斜視図である。
【図２】本発明の一実施例によるキャリアフィルムを示す斜視図である。
【図３】図２のＩ−Ｉ’に沿って切断した断面図である。
【図４】図２のＡ部分の拡大図である。
【図５】本発明の一実施例によるキャリアフィルムを製造する過程を示すフロー図である。
【図６】本発明の一実施例による液晶表示装置を示す分解斜視図である。
【図７】図６に図示された表示パネルアセンブリを示す斜視図である。
【図８】図６のＩＩ−ＩＩ’に沿って切断した断面図である。
【符号の説明】
【００９７】
１００    テープキャリアパケージ
２００    キャリアフィルム
２１０    ベースフィルム
２２０    第１リード線
２３０    第２リード線
２４０    半導体チップ
２５０    保護層
２５１    凸凹線
３００    表示パネルアセンブリ
４００    バックライトアセンブリ
５００    収納容器
６００    トップシャーシ
【図１】
2006190989.tif 000003
【図２】
2006190989.tif 000004
【図３】
2006190989.tif 000005
【図４】
2006190989.tif 000006
【図５】
2006190989.tif 000007
【図６】
2006190989.tif 000008
【図７】
2006190989.tif 000009
【図８】
2006190989.tif 000010